(57)【要約】【課題】  床下、壁中、天井に隠蔽設置出来る超コンパクトな薄型、小型の空調機で凝縮水（ドレン）の完全な排水と故障がなく、メンテナンス不用の加湿装置が搭載されていて、効率良く、居室等の温度分布も良く、静かで、居室等に機器設置不要の超コパクト型空調機を提供する。【解決手段】    現存する空調機の構造とは逆の構造とし  図１  の如くシェル（缶）とチューブ（管）を逆の構造とし  図３  の送風機１をチューブ（管）の吸い込み口８に取りつける構造で全体の体積を大幅に縮小する、熱効率を良くするため針状の金属製感熱ピンを全面に植毛したシェル（缶）１を１つ目のスルー熱交換、針状の金属製感熱ピンを全内外面に植毛したチューブ（管）３を２つ目のスルー熱交換のダブルスルー構造とする、また送風機１を含めた全体を外装板９で完全に覆うって制音効果を狙う、トラブルが多い凝縮水（ドレン）の排水をエジェクター１５による強制排水にする、また問題の多い加湿装置を故障が少なくメンテナンス不要の毛細管と霧吹き器の構造を応用した装置とする。【選択図】    図１
2006010295.tif 000002
【特許請求の範囲】
【請求項１】
狭い場所空間に据付が可能な、超コンパクト、小型、薄型空調機で従来の空調機の構造とは異なり、シェル（缶）側に冷温水を循環、チューブ（管）側に空気を送気する逆構造とする事で体積を縮小し、吸込み空気をシェル（缶）表面全周に針状の金属製感熱ピンをブラシ状に植毛し熱伝達する即ち予冷、予熱する１つ目のスルーを得て送風機からチューブ（管）内全表面に針状の金属製感熱ピンをブラシ状に植毛し熱伝達させる２つ目のスルーで効率良く空調空気を生成して空調する空調機及び装置。
【請求項２】
液体と気体との熱交換でシェル（缶）側に液体を循環して、チューブ側に気体を循環してなる熱伝達構造で高効率とする為シェル（缶）の全表面に針状の金属製感熱ピンをブラシ状に植毛し、又チューブ（管）の接液側にも針状の金属製感熱ピンをブラシ状に植毛して浸液し、気体側にも針状の感熱ピンをブラシ状に植毛して造られる構造の空調機又は熱交換器。
【請求項３】
請求項１の冷温水循環式空調機の構造でシェル（缶）の構造を内接するチューブに沿って波状に加工しシェル（缶）の耐圧を強化して内容積を縮小し、空調室外機等と組み合わせて冷媒配管し直膨形と呼ばれる空調機の室内機として、冷媒Ｒ４７０Ｃ等を直接キャピラリーチューブや膨張弁を通して蒸発器又は四方弁で切り替えて凝縮器に供給循環して冷却、加熱し送気流によって冷風、温風を生成してなる空調機又は装置。
【請求項４】
空調機は全て冷房モードで運転中空気中の湿度成分を凝縮して、凝縮水が生成されるが、この排水が空調機のトラブルで最も多く完全な装置が求められて居るが、僅かな空気圧と空気量をエジェクターに送ると通称ドレンと呼ばれる凝縮水を強制排水する事ができる、このエジェクターを利用したドレンの強制排水システム。
【請求項５】
空調機は冬季暖房モード運転中加湿が要求される事が多く従来幾種類かの加湿装置が使われているが、いずれも問題を有しいる、この発明は毛細管現象と霧吹き器を応用した装置で水液を入れた容器に毛細管を垂直に取付け頂部にＴ字型細管を取り付け、この細管は天部が多孔状になっており毛細管現象によって上昇した水液が多孔状細管ノズルから表面張力で山上に膨れるが空調機の気流に潰され水紛化しその気流に乗って空調機の出口から室内え放出されて加湿される自然現象を利用する為動力を使用せず故障が少なく長期間メンテナンスが不要な事を特徴とするこの加湿装置。
【発明の詳細な説明】
【技術分野】
【０００１】  この発明は、どの様な設置据付場所でも取付け可能な空調機で居室等の床下空間、ペリカウンター、天井内、壁内も取付けが可能な超薄型（厚み８センチ）で、冷温水循環タイプと冷媒循環タイプの２タイプとする。いずれのタイプも従来の空調機の構造とは逆に本体シェル（缶）側に冷温水を循環、または冷媒を循環し、本体内側のチューブ（管）内に送風機で送気して空調気流を生成し冷暖房を行う構造を有している。
送気する空気と前記空調機本体との熱交換効率を良くするため本体シェル（缶）の外周全面と吸込み空気とを熱交換させ予冷、予熱してから送風機で送気し、前記チューブ（管）内に送気する即ちダブルスルーにして効率よく空調気流を生成する、更に熱交換効率を良くする為に前記本体シェル（缶）外周とチューブ（管）の内外面全面に剣山のように針状の金属製感熱ピンを多数ブラシ状に植え込んだ構造とする。
【背景技術】
【０００２】    従来、この種の空調機は  図４  に示すように、熱交換コイル３吹出し口７と送風機１吸込み口４からなるフアンコイルユニットと呼ばれる空調機又はエアーハンドリングユニットと呼ばれる空調機この他にパッケージ形と呼ばれる空調機が有るが内部構造は殆んど同一であり、コイル３即ち前記チューブ（管）側に冷温水を循環又は冷媒を循環し送風機で送気し空調空気を生成し冷暖房を行う空調装置がある。【０００３】    また前記チューブ（管）側に冷温水を循環、冷媒を供給する装置はチューブ（管）  図１  ３の外表面の熱を送気流に効率良く熱伝達するため金属製のフィン（伝熱板）を多数取付け、面積を大きくする必要があり、しかも送風機との距離を空けて前記金属製フィン（伝熱板）に均等に空気が当るようにする必要から装置全体の体積が大きくなり小型化には限度があった。
【発明の開示】
【発明が解決しようとする課題】
【０００４】  この問題の解決、即ち空調機を超小型化、薄型化して床下空間、壁中に隠蔽設置するには、全体の厚みを８センチ以下にしなければならず、又冷房運転時のドレン（凝縮水）が完全に排水できる機能を有し、又超小型の割合には伝熱面積が大きく、高効率で空調気流を生成する性能を有し、さらに送風機が低騒音で、しかも必要な機外静圧を有する等が揚げられ、また故障が無く長期間メンテナンスが不要な加湿装置これ等を満足する空調機は今日まで存在しない。
【課題を解決するための手段】
【０００５】  この発明はこのような点に着目してなされたもので、その目的とするところは、比較的簡単な構成で、製造コストを廉く、運転経費を大幅に削減し、超コンパクト、静謐で安全な空調装置を提供する事にある。
小型化、薄型化は現存する空調機の構造とは逆の構造で  図１  シェル（缶）２側に熱媒や冷媒を循環し、チューブ（管）側３に空気を送気する、この構造の為  図３  の送風機１をチューブ（管）の吹込み口８に密着させる事が出来、大幅に体積を縮少する事が可能で、また送風機１にクロスフロー形を採用、前面吸込み４、前面吹出し７、のダブルスルー送気である事から送風機を外装板９で完全に覆う事が出来、運転騒音の発生源である送風機の騒音を極小にする事と充分な機外静圧を持たせる又この空調機の熱効率もシェル（缶）外周全面２を１つ目のスルー、チューブ（管）３の内面全周を２つ目のスルーとするＷスルー構造とする事で伝熱面積が増大しこの目的の達成が可能となった。凝縮水の完全排水は  図５  のエジェクターを利用する事で運転中は常時強制的に凝縮水が排水管側に引っ張られており  図３  のドレンパン内１２及び排水管内１３は常時空の状態にあり残水と埃による詰りの故障はなく更に冬期暖房時の加湿の要求に対して毛細管現象と霧吹き器を応用した  図６  の装置で容器１８に水液を満たし毛細管１９を取り付けＴ字型に多孔状細管２０を取り付けノズル２１から溢れ出る水液を該空調機の気流で水紛し居室等え放流し加湿するシステムで前記目的を達成する事ができる。
【発明の効果】
【０００６】  本発明は、空調機を床下空間や天井空間に取付ける事が出来るので、従来床下ピットや天井空間に設けていたダクトが不用となり、床下ピットや、ＤＳ（ダクトスペース）も不用で天井その物も不用となり、階高が低く出来る為、建築に要する費用も大幅に削減される。又壁面に空調の吹出し口や吸込み口を設ける場合ダクトを隠蔽する為ふかし壁とし、壁の厚みが大きくなり建築費の増だけでなく居室等が狭くなる等の問題を解決する事になる。
さらに、該空調機の冷房モード運転中凝縮水の排水処理も従来の空調機の凝縮水（ドレン）は受け皿の排水口が埃、塵で詰まる事が多く問題になるが該空調機はエジェクターによる強制排水という手段を採用した、また冬期暖房モード運転中加湿を必要とするが故障や長期間メンテナンスが不要な今回発明の毛細管利用システムによって前記課題を解決できる。
【発明を実施するための最良の形態】
【０００７】  このような目的を達成するために、図１のような厚みが５センチ程のシェル（缶）２、本体に楕円形のチューブ（管）３を図のように取付け断面円周をシェル（缶）側面に溶接する、図３  ７はシェル（缶）の上板、下板が膨らまない為の補強と循環液が乱流を起こし液体の熱をシェル（缶）やチューブ（管）に伝え易くし更に  図２  のように針状の金属製感熱ピンをブラシ状に多数植え込み液側、空気側ともに熱交換効率を良くする手段をとる。図２  はシェル（缶）２の全周に針状の金属製感熱ピン１９をブラシ状に多数植込み吸込み口４から流入する空気がシェル（缶）表面の熱を奪って送風機に達し予熱，予冷の効率を高める。１０は断熱支持材で外装板９に伝熱する所謂ヒートブリッジを防いでいる。床下空間に据付の場合  図３  のクロスフローフアン１を吹込みチヤンバー８に直結取付けとし、下面に凝縮水（ドレン）受けを設け、排水口には  図５  のエジェクターを取付け低圧縮空気をホースノズル１４に接続してエジェクターノズル１５から空気を噴出すと１７が真空状態となり凝縮水（ドレン）を誘引して強制排水させるので不完全排水によるトラブルが解決出来る、加湿も冬期は重要な機能でビル管理法では居室等の相対湿度は４０パーセント以上となっており従来の装置は冬期利用期間に何度かのメンテナンスを要するものが多いが該空調機のドレンパン１２内に  図６  の容器２２を取り付け毛細管１９及び多孔状細管２０を吹出し口に設置する装置でこの該空調機はフル装備の形態となる。
【実施例１】
【０００８】    最も利用形態の多いと考えられる実地例として該空調機を床下空間に設置する場合  図７  のように全空気式床輻射冷暖房システムと組合せが考えられる、該空調機ＡＣを床下空間に設置し、不燃性フィルムダクト２５を床下空間２６に敷設、空調機ＡＣから生成気流の温風又は冷風をフイルムダクト２５内に水平気流で送気して気流方向変換機２７で垂直気流に変換し床裏面に吹き付け床面を冷却又は加熱して居室Ｒの輻射効果を得てその後の冷風や温風は居室Ｒ内に２３から吹出され居室内空気を冷却又は加熱し再び吸い込み口２４を通って空調機ＡＣに戻って循環利用される。冷温水，冷媒入り口５と冷温水、冷媒出口６には其々配管を接続し冷温水、冷媒を循環し、ドレン排水口１６には排水管を接続し、完全排水とするため、このシステムにはインジェクター用の空気配管が敷設されているので空気管接続口１４に空気配管を接続する。場合により  図６  の加湿装置を取付け給水制御弁を通して給水配管に接続する。自動制御システムは従来型のものが其のまま利用出来るので、床温、室温をシステムの要求通りに設定できるので効率良く、静かで、輻射効果による快適な環境空間がえられる。
【図面の簡単な説明】
【０００９】
【図１】この発明の実施形態に係る空調機の内部構造図・
【図２】この発明の実施形態に係る空調空気の内部で熱交換効率を良くする針状の金属製感熱ピンの植毛図。
【図３】この発明の実施形態に係る内部断面構造図と斜視図。
【図４】従来例を示す空調機でフアンコイルユニット図
【図５】この発明の実施形態の完全排水型ドレン排水システムの構造図である。
【図６】この発明の実施形態に係る  加湿装置の構造図である。
【図７】この発明の実施形態に係る空調機を床下空間に設置した場合の構造図である。
【符号の説明】
【００１０】  １  送風機
２  本体シェル（缶）
３  チューブ（管）
４  空調機吸込み口
５  冷温水、冷媒入り口
６  冷温水、冷媒出口
７  シェル（缶）上下補強管
８  送風機出口チャンバー
９  外装板
１０  断熱支持材
１１  ドレンパン
１２  前部ドレンパン
１３  ドレン管
１４  空気管接続口
１５  エジェクターノズル
１６  ドレン排水口
１７  真空誘引部分
１８  金属製針状感熱ピン
１９  毛細管
２０  多孔状細管
２１  ノズル
２２  加湿装置用容器
２３  床吹き出口
２４  床吸込み口
２５  不燃性樹脂フィルムダクト
２６  床下空間
２７  気流変換機
Ｒ  居室
ＡＣ  該空調機
【図１】
2006010295.tif 000003
【図２】
2006010295.tif 000004
【図３】
2006010295.tif 000005
【図４】
2006010295.tif 000006
【図５】
2006010295.tif 000007
【図６】
2006010295.tif 000008
【図７】
2006010295.tif 000009